(57)【要約】【課題】  本発明は、陰イオン発生機能を有するスピーカーシステム及びテレビジョン受像機に関し、空気の清浄と快適な室内環境を具現することを目的とする。【解決手段】  スピーカーボックスの所定位置に陰イオン発生手段を備え、スピーカーボックスの内部に設置されたスピーカーの音圧により陰イオンを発生させ、発生された陰イオンを音圧により拡散させ得るようにしたスピーカーシステムと、テレビキャビネットの所定位置に陰イオン発生手段を備え、キャビネットの内部で発生される陰イオンによる電子シールドの形成を防止するために帯電防止剤又はＵＶ物質を塗布するか、もしくはＵＶ物質がコーティングされたテープを接着するか、もしくは帯電防止剤をキャビネットとともに成形して陰イオン生成空間を確保したテレビジョン受像機で構成される。【選択図】      図１
2004297836.tif 000002
【特許請求の範囲】
【請求項１】
スピーカーボックスの内部にスピーカーを設置したスピーカーシステムにおける陰イオン発生システムにおいて、
スピーカーボックスの内部の所定位置に設置されたスピーカーと、
前記スピーカーの前方に出力音を出力させるために、前記スピーカーボックスの前面の所定位置に設置されたオーディオ出力孔と、
前記オーディオ出力孔の下部の一側に設置され、前記スピーカーの後方に出力される後面出力音を出力するポートと、
前記スピーカーボックスの下部の所定位置に設置され、陰イオンを生成する陰イオン発生手段とを備えることを特徴とする陰イオン発生システム。
【請求項２】
請求項１において、前記陰イオン発生手段は、
スピーカーボックスの下部の一側に設置されて高圧を発生する高圧発生器と、
前記高圧発生器から発生された高圧により放電し、陰イオンを生成する放電針と、
前記放電針を固定し、前記高圧発生器から発生された高圧を前記放電針に印加する回路基板と、
前記回路基板の前方に設置され、前記放電針の放電を助けることにより陰イオンの発生量を多くする対向電極とから構成される陰イオン発生システム。
【請求項３】
請求項２において、前記放電針はポートの後方の周辺に配設されており、その結果、後面出力音による音圧により発生された陰イオンが直接ポートに放出されるように構成される陰イオン発生スピーカーシステム。
【請求項４】
請求項１において、前記陰イオン発生手段は、
スピーカーボックスの下部の一側に設置されて高圧を発生する高圧発生器と、
前記スピーカーボックスの前面内壁に対向して所定間隔をおいて設置され、前記高圧発生器から発生された高圧により放電して陰イオンを生成する放電針と、
前記放電針を固定し、前記高圧発生器から発生された高圧を前記放電針に印加する回路基板とから構成される陰イオン発生スピーカーシステム。
【請求項５】
請求項４において、前記放電針はオーディオ出力孔とスピーカーの前面との間に設置された支持台を貫通し、前記放電針は前記スピーカーの前面出力音により陰イオンが放出されるように構成される陰イオン発生スピーカーシステム。
【請求項６】
請求項１において、前記陰イオン発生手段は、
スピーカーボックスの下部の一側に設置されて高圧を発生する高圧発生器と、
前記スピーカーボックスの下部底面に所定間隔を置き陰イオン排出口に向かって水平に配置され、前記高圧発生器から発生された高圧により放電して陰イオンを生成する放電針と、前記放電針を固定し、前記高圧発生器から発生された高圧を前記放電針に印加する回路基板とから構成される陰イオン発生スピーカーシステム。
【請求項７】
請求項６において、前記スピーカーボックスの前面の下部の所定位置に陰イオンが排出される陰イオン排出口を形成し、放電針を前記陰イオン排出口の周辺又は排出口の内部に配置してスピーカーの後面出力音により陰イオンが放出されるように構成される陰イオン発生スピーカーシステム。
【請求項８】
内部にスピーカーが装着されたキャビネットを備えるテレビジョン受像機における陰イオン発生テレビジョン受像機において、
前記キャビネットの内部の所定位置に設置されたスピーカーと、
前記スピーカーの前方に出力音を出力するために前記キャビネットの前面の所定位置に設置されたオーディオ出力孔と、
前記オーディオ出力孔の下部の一側に設置され、前記スピーカーの後方に出力される後面出力音を出力するポートと、
前記キャビネットの下部の所定位置に設置され、陰イオンを生成する陰イオン発生手段とを備える陰イオン発生テレビジョン受像機。
【請求項９】
請求項８において、前記陰イオン発生手段は、
キャビネット内部の下部の一側に設置されて高圧を発生する高圧発生器と、
前記高圧発生器から発生された高圧により放電して陰イオンを生成する放電針と、
前記放電針を固定し、前記高圧発生器から発生された高圧を前記放電針に印加する回路基板と、
前記回路基板の前方に設置されて前記放電針の放電を補助することにより陰イオンの発生量を多くする対向電極とから構成される陰イオン発生テレビジョン受像機。
【請求項１０】
請求項９において、前記放電針はキャビネットの前面の下部の一側に設置されたポートの後方の周辺に配設されており、その結果、後面出力音による音圧により発生された陰イオンが直接ポートに放出されるように構成される陰イオン発生テレビジョン受像機。
【請求項１１】
請求項９において、前記陰イオン発生手段は、
キャビネットの下部の一側に設置されて高圧を発生する高圧発生器と、
前記キャビネットの前面内壁に対向し所定間隔をおいて設置され、前記高圧発生器から発生された高圧により放電して陰イオンを生成する放電針と、
前記放電針を固定し、前記高圧発生器から発生された高圧を前記放電針に印加する回路基板とから構成される陰イオン発生テレビジョン受像機。
【請求項１２】
請求項１１において、前記放電針はオーディオ出力孔とスピーカーの前面との間に設置された支持台を貫通し、前記放電針は前記スピーカーの前面出力音により陰イオンが放出されるように構成される陰イオン発生テレビジョン受像機。
【請求項１３】
請求項８において、前記陰イオン発生手段は、
キャビネットの下部の一側に設置されて高圧を発生する高圧発生器と、
前記キャビネットの下部底面に所定間隔をおき、陰イオン排出口に向かって水平に配置され、前記高圧発生器から発生された高圧により放電して陰イオンを生成する放電針と、
前記放電針を固定し、前記高圧発生器から発生された高圧を前記放電針に印加する回路基板とから構成される陰イオン発生テレビジョン受像機。
【請求項１４】
請求項１３において、前記キャビネットの前面の下部の所定位置に陰イオンが排出される陰イオン排出口を形成し、放電針を前記陰イオン排出口の周辺又は排出口の内部に配置してスピーカーの後面出力音により陰イオンが放出されるように構成されることを特徴とする陰イオン発生テレビジョン受像機。
【請求項１５】
内部にスピーカーが装着されたキャビネットを備えるテレビジョン受像機における陰イオン発生テレビジョン受像機において、
前記キャビネットの下部の所定位置に陰イオンを生成する陰イオン発生手段を備え、さらに前記キャビネットの内部で前記陰イオン発生手段により発生される陰イオンによる電子シールドの形成を防止する帯電防止剤を包含するように構成される陰イオン発生テレビジョン受像機。
【請求項１６】
請求項１５において、前記帯電防止剤はキャビネットの内部表面にコーティングしたものである陰イオン発生テレビジョン受像機。
【請求項１７】
請求項１５において、前記帯電防止剤はキャビネットと混合成形されたものである陰イオン発生テレビジョン受像機。
【請求項１８】
請求項１５において、前記キャビネットの所定位置にスピーカーの後面出力音と、前記後面出力音が放出される出力ポートが形成され、前記出力ポートの内壁面に帯電防止剤を塗布した陰イオン発生テレビジョン受像機。
【請求項１９】
請求項１５において、前記キャビネットの所定位置に陰イオンが排出される専用の陰イオン排出口が形成され、前記陰イオン排出孔の内壁面に帯電防止剤を塗布した陰イオン発生テレビジョン受像機。
【請求項２０】
内部にスピーカーが装着されたキャビネットを備えるテレビジョン受像機における陰イオン発生テレビジョン受像機において、
前記キャビネットの所定位置に陰イオンを生成する陰イオン発生手段を備え、さらに前記キャビネットの内部で陰イオン発生手段により発生される陰イオンによる電子シールドの形成を防止するＵＶ物質を包含するように構成される陰イオン発生テレビジョン受像機。
【請求項２１】
請求項２０において、前記ＵＶ物質はキャビネットの内部表面にコーティングしたものである陰イオン発生テレビジョン受像機。
【請求項２２】
請求項２０において、前記ＵＶ物質はシート上にコーティングされたテープにより構成される陰イオン発生テレビジョン受像機。
【請求項２３】
請求項２０において、前記キャビネットの所定位置にスピーカーの後面出力音と、前記後面出力音が放出される出力ポートが形成され、前記出力ポートの内壁面にＵＶ物質が塗布されたものである陰イオン発生テレビジョン受像機。
【請求項２４】
請求項２０において、前記キャビネットの所定位置に陰イオンが排出される専用の陰イオン排出口が形成され、前記陰イオン排出孔の内壁面にＵＶ物質を塗布する陰イオン発生テレビジョン受像機。
【請求項２５】
請求項２３において、前記ＵＶ物質はシート上にコーティングしたテープ形態で作成され、出力ポートの内壁面に接着する陰イオン発生テレビジョン受像機。
【請求項２６】
請求項２３において、前記ＵＶ物質はシート上にコーティングしたテープ形態で作成され、陰イオン排出孔の内壁面に接着する陰イオン発生テレビジョン受像機。
【発明の詳細な説明】
【技術分野】
【０００１】
本発明は陰イオン発生機能を有するスピーカーシステム及びテレビジョン受像機に関するもので、詳しくはスピーカーの音圧により陰イオンを発生させ、その発生された陰イオンを音圧によって拡散させ得るようにした陰イオン発生スピーカーシステム及びテレビジョン受像機に関するものである。
【背景技術】
【０００２】
従来、オーディオシステム又はテレビジョン受像機のようなオーディオ／ビデオ機器を視聴するとき、視聴者は多数の人々が群集した群れの中で視聴することになる。
【発明の開示】
【発明が解決しようとする課題】
【０００３】
このような場合、多数の人々が群集するため、視聴環境、特に空気の汚染が深刻である。特に煙草を吸う人がある場合、又は粉塵、室内の埃が多量発生する環境に露出されている場合、長時間にわたって環境の悪化と室内空気の汚染が発生する。しかし、現状ではこのような室内空気の汚染に対処し得る手段がないのが実情である。
【０００４】
従って、本発明は前述した従来の問題点を解消するためになされたもので、オーディオ／ビデオ機器の運用環境、特に空気の清浄と快適な室内環境を具現し得るようにした陰イオン発生機能を有するスピーカーシステム及びテレビジョン受像機を提供することをその目的とする。
又、本発明の他の目的はオーディオ機器のスピーカーシステム、テレビジョン受像機のスピーカーシステムから陰イオンを発生させ、その発生された陰イオンをスピーカーの音圧を用いて拡散させることにより、快適な環境を具現し、陰イオンが人体に及ぼす種々の効果を必要充分に確保し得るようにした陰イオン発生機能を有するスピーカーシステム及びテレビジョン受像機を提供することである。
【課題を解決するための手段】
【０００５】
このような目的を達成するために、本発明の陰イオン発生機能を有するスピーカーシステムは、スピーカーボックスの内部の所定位置に設置されたスピーカーと、スピーカーの前方に出力音を出力するためにスピーカーボックスの前面の所定位置に設置されたオーディオ出力孔と、オーディオ出力孔の下部の一側に設置され、スピーカーの後方に出力される後面出力音を出力するポートと、スピーカーボックスの下部の所定位置に設置され、陰イオンを生成する陰イオン発生手段とから構成される。
【０００６】
前記本発明の他の目的を達成するために、本発明の陰イオン発生機能を有するテレビジョン受像機は、キャビネットの内部の所定位置に設置されたスピーカーと、スピーカーの前方に出力音を出力するためにキャビネットの前面の所定位置に設置されたオーディオ出力孔と、オーディオ出力孔の下部の一側に設置され、スピーカーの後方に出力される出力音が出力されるポートと、キャビネットの下部の所定位置に設置されて陰イオンを生成する陰イオン発生手段とから構成される。
【発明の効果】
【０００７】
以上説明したように、本発明は、テレビジョンを視聴するときに陰イオンを発生させることにより、電子シールドの形成を防止することにより、陰イオン生成空間を広く確保し、陰イオンの排出通路の面積を充分に保障し得るので、高効率の陰イオンの生成と放出ができる効果がある。又、密閉された室内空間でもスピーカーの音圧により放出、拡散される陰イオンが人体に提供されるようにし、この陰イオンにより快適な視聴環境を保障し、別の陰イオンの送出のためのファン、ファンモーター等を利用しなくてもスピーカーの音圧により音圧を拡散させることができ、ダイナミックに変動されるスピーカーの出力音圧により室内空間に陰イオンを均等に拡散供給し得る効果がある。
【発明を実施するための最良の形態】
【０００８】
以下、本発明による陰イオン発生機能を有するスピーカーシステム及びテレビジョン受像機を添付図面に基づいて詳細に説明する。
図１は本発明による陰イオン発生機能を有するスピーカーシステムの第１実施例の構成を示す断面図である。
【０００９】
図１に示すように、本発明の陰イオン発生機能を有するスピーカーシステムは、スピーカー２の前方に出力される前面出力音２Ａが出力されるオーディオ出力孔１と、前記オーディオ出力孔１の下部の一側に設置され、スピーカー２の後方に出力される後面出力音２Ｂが出力されるポート３とが形成されたスピーカーボックス４と、前記スピーカーボックス４の内部に設置され、オーディオ信号を受けて振動することにより、前方には前面出力音２Ａを、後方には後面出力音２Ｂを発生させるスピーカー２と、前記スピーカーボックス４のポート３に近接した位置で放電して陰イオンを生成するための放電針５及び前記放電針５の放電を助けて陰イオンの発生量を多くする対向電極６と、前記放電針５が固定される回路基板７と、前記回路基板７を通じて高圧を放電針５に印加する高圧発生器８とから構成される。
【００１０】
このように構成された本発明の第１実施例による陰イオン発生と拡散動作を次に説明する。
オーディオ／ビデオ機器を作動させると、オーディオ信号がスピーカー２に供給されてスピーカー２が振動し、振動結果として、前方にはオーディオ出力孔１を通じて前面出力音２Ａを出力し、後方にはスピーカーボックス４の内部空間に出てポート３を通じて出力される後面出力音２Ｂを出力することになる。
【００１１】
そして、高圧発生器８に電源が印加されると、高圧発生器８から高圧を発生し回路基板７に固定された放電針５に高圧を印加し、印加された高圧により放電針５は対向電極６に放電され、その結果として陰イオン５Ａが発生される。
このように発生された陰イオン５Ａはスピーカー２の後面出力音２Ｂによる音圧によりポート３を通じて空気とともに排出され、陰イオン５Ａと後面出力音２Ｂとが混合された空気５Ｂがオーディオ／ビデオ機器が設置された室内に広く拡散される。
【００１２】
このような動作は高圧放電による陰イオン発生とともにスピーカー２の振動による後面出力音２Ｂの音圧により持続され、従って室内では広い範囲にわたって陰イオンが拡散され、対向電極６は放電針５との放電を助けて陰イオン５ａの発生量を多くする。
図２は本発明の第２実施例の構成を示す図面である。図２を参照すると、本発明の第２実施例は、スピーカー２の前方に出力される前面出力音２Ａが出力されるオーディオ出力孔１が形成されたスピーカーボックス４と、前記スピーカーボックス４の内部に設置され、オーディオ信号を受けて振動して、前方には前面出力音２Ａを、後方には後面出力音を発生させるスピーカー２と、前記スピーカーボックス４の前面出力音２Ａが出力される位置（オーディオ出力孔１とスピーカー２の前面との間）で放電して陰イオンを生成するための放電針５と前記放電針５が固定される回路基板７と、前記回路基板７を通じて高圧を放電針５に印加する高圧発生器８とから構成される。又、前記放電針５はオーディオ出力孔１とスピーカー２の前面との間に設置された支持台１１を貫通する。
【００１３】
一方、前記第２実施例では対向電極を設置しなかったが、場合によっては陰イオン発生量をより多くするために設置することもできる。
このように構成された本発明の第２実施例による陰イオン発生と拡散動作を次に説明する。
オーディオ／ビデオ機器を作動させると、オーディオ信号がスピーカー２に供給されてスピーカー２が振動し、振動結果として前方にはオーディオ出力孔１を通じて前面出力音２Ａを出力し、後方にはスピーカーボックス４の内部空間に出て出力される後面出力音を出力することになる。
【００１４】
そして、高圧発生器８に電源が印加されると、高圧発生器８から高圧を発生して回路基板７に固定された放電針５に高圧を印加し、印加された高圧により放電針５から陰イオン５Ａが発生される。
発生された陰イオン５Ａはスピーカー２の前面出力音２Ａによる音圧によりオーディオ出力孔１を通じて空気とともに排出され、陰イオン５Ａと前面出力音２Ａとが混合された空気がオーディオ／ビデオ機器の設置された室内で広く拡散される。
【００１５】
このような動作は高圧放電による陰イオン発生とともにスピーカー２の振動による前面出力音２Ａの音圧により持続され、従って室内では広い範囲にわたって陰イオンが拡散され、対向電極は放電針５との放電を助けて陰イオン５Ａの発生量を多くする。
図３は本発明の第３実施例の構成を示す図面である。図３を参照すると、本発明の第３実施例は、スピーカー２の前方に出力される前面出力音２Ａが出力されるオーディオ出力孔１とスピーカー２の後方に出力される後面出力音２Ｂが出力されるポート３とが形成されたスピーカーボックス４と、前記スピーカーボックス４の内部に設置され、オーディオ信号を受けて振動して、前方には前面出力音２Ａを、後方には後面出力音２Ｂを発生させるスピーカー２と、前記スピーカーボックス４の任意の位置に形成された陰イオン排出口９と、前記スピーカーボックス４の陰イオン排出口９に近接した位置又は陰イオン排出口９の中に位置し、放電して陰イオンを生成するための放電針５と前記放電針５が固定される回路基板７と、前記回路基板７を通じて高圧を放電針５に印加する高圧発生器８とから構成される。
【００１６】
このように構成された本発明の第３実施例による陰イオン発生と拡散動作を次に説明する。
オーディオ／ビデオ機器を作動させると、オーディオ信号がスピーカー２に供給されてスピーカー２が振動し、振動結果として前方にはオーディオ出力孔１を通じて前面出力音２Ａを出力し、後方にはスピーカーボックス４の内部空間に出てポート３を通じて出力される後面出力音２Ｂを出力することになる。
【００１７】
そして、高圧発生器８に電源が印加されると、高圧発生器８から高圧を発生して回路基板７に固定された放電針５に高圧を印加し、印加された高圧により放電針５から陰イオン５Ａが発生される。
発生された陰イオン５Ａはスピーカー２の後面出力音２Ｂによる音圧により陰イオン排出口９を通じて空気とともに排出され、陰イオン５Ａと前面出力音２Ａとが混合された空気がオーディオ／ビデオ機器の設置された室内で広く拡散される。
【００１８】
このような動作は高圧放電による陰イオン発生とともにスピーカー２の振動による後面出力音２Ｂの音圧により持続され、従って室内では広い範囲にわたって陰イオンが拡散され、対向電極６は放電針５との放電を助けて陰イオン５Ａの発生量を多くする。
図４（Ａ）、図４（Ｂ）〜図７は前述した本発明の第１〜第３実施例のスピーカーシステムをテレビジョン受像機に適用した例を示す。
【００１９】
図４（Ａ）及び図４（Ｂ）に示すように、テレビジョンキャビネット１０にスピーカー２′が装着されたスピーカーボックス４′を設置した場合であり、このスピーカーボックス４′には、図５に示すように、本発明の第１実施例の陰イオン発生手段を適用した場合である。
従って、このようなテレビジョン受像機でも、前述したように、テレビジョン受像機に電源が供給され、放送受信によるオーディオ信号がスピーカー２′に出力されて前後面出力音２Ａ′、２Ｂ′が発生すると、後面出力音２Ｂ′の音圧により放電針５′の陰イオン５Ａ′が室内に拡散される。
【００２０】
図面のうち、未説明の符号１１はブラウン管であり、テレビジョンキャビネット１０の全体をスピーカーボックスと見做して、放電針５′をキャビネット１０の内部の任意の位置に設置することもできる。
図６は前記第２実施例を適用した陰イオン発生テレビジョン受像機で、放電針５′をテレビジョンスピーカー２′の前方に配置することにより、オーディオ出力孔１′に前面出力音２Ａ′の音圧により陰イオン５Ａ′が放出される場合であり、図７は前記第３実施例を適用した陰イオン発生テレビジョン受像機で、陰イオン排出口９′をテレビジョン受像機スピーカーボックス４′に形成し、放電針５′を排出口９′に配置することにより、後面出力音２Ｂ′の音圧により陰イオン５Ａ′が放出される場合である。
【００２１】
図８は本発明の陰イオン発生テレビジョン受像機の第４実施例で、スピーカー部分の構成を示す図面である。図８に示すように、本発明の陰イオン発生機能を有するテレビジョン受像機は、スピーカー２の前方に出力される出力音２Ａが出力されるオーディオ出力孔１と前記オーディオ出力孔１の下部の一側に設置され、スピーカー２の後方に出力される後面出力音２Ｂが出力されるポート３とが形成されたキャビネット１０と、前記キャビネット１０の内部に設置され、オーディオ信号を受けて振動して、前方には前面出力音２Ａを、後方には後面出力音２Ｂを発生させるスピーカー２と、前記キャビネット１０のポート３に近接した位置で放電して陰イオンを生成するための放電針５及びこの放電針５の放電を助けて陰イオン発生量を多くする対向電極６と、前記放電針５が固定される回路基板７と、前記回路基板７を通じて高圧を放電針５に印加する高圧発生器８と、放電により発生された電子によりキャビネット１０の内部表面が帯電される現象を防止するためにキャビネット１０の内部表面にコーティングされた帯電防止剤１０Ｃとから構成される。
【００２２】
このように構成された本発明の陰イオン発生テレビジョン受像機による陰イオン発生と拡散動作は次のようである。
オーディオ／ビデオ機器を作動させると、オーディオ信号がスピーカー２に供給されてスピーカー２が振動し、振動の結果として前方にはオーディオ出力孔１を通じて前面出力音２Ａを出力し、後方にはキャビネット１０の内部空間に出てポート３を通じて出力される後面出力音２Ｂを出力することになる。
【００２３】
そして、高圧発生器８に電源が印加されると、高圧発生器８から高圧を発生し、回路基板７に固定された放電針５に高圧を印加し、印加された高圧により放電針５は対向電極６に放電され、その結果として陰イオン５Ａが発生される。
即ち、ｅ−＋Ｏ２→Ｏ２−である。
発生された陰イオン５Ａ（Ｏ２−)はスピーカー２の後面出力音２Ｂによる音圧によりポート３を通じて空気とともに排出され、陰イオン５Ａと後面出力音２Ｂとが混合された空気５Ｂがオーディオ／ビデオ機器の設置された室内に広く拡散される。
【００２４】
このような動作は高圧放電による陰イオン発生とともにスピーカー２の振動による後面出力音５Ｂの音圧により持続され、従って室内では広い範囲にわたって陰イオンが拡散され、対向電極６は放電針５の放電を助けて陰イオン５Ａの発生量を多くする。
このように陰イオンが生成され、生成された陰イオンがスピーカー音圧により遠く拡散されることにより、陰イオンの発生につれて生成された電子（ｅ−)がイオン（Ｏ２）より早い速度でキャビネット１０の内部表面に到達するが、帯電防止剤１０Ｃにより不導体のキャビネット１０と、その内側の陰イオン生成空間との間が絶縁されているので、電子（ｅ−)がイオン（Ｏ２）より早い速度で移動しても電子（ｅ−)がキャビネット１０の内部表面に付く現象を防止し得ることになる。
【００２５】
又、陰イオン放出ポート３の通路表面に帯電防止剤１０Ｃを塗布する実施例も可能であり、この実施例の場合も陰イオン放出ポート３の通路表面に帯電防止剤１０Ｃが塗布されているため、ここでも電子（ｅ−)による電子シールド（図示せず）の生成が排除され、よって前述したように発生された陰イオンは十分な大きさの通路を保障するポート３を自在に通過して室内に拡散されることになる。
【００２６】
前述した本発明の実施例として、前記帯電防止剤１０Ｃの代わりにＵＶ（Ultra Violet）物質（紫外線物質）１０Ａをキャビネット１０の内部表面又は放出ポート３の内壁面に塗布しても紫外線物質は電子（ｅ−)がキャビネット１０の内部表面に付く現象を防止するので、陰イオン発生空間及び放出空間を充分に確保し得ることになる。
【００２７】
前出した本発明の他の実施例として、前記帯電防止剤１０Ｃをキャビネット１０の成形時に原材料であるプラスチック粉末に混合して鎖状整形することにより、帯電防止剤１０Ｃを別にコーティングする工程を排除し得る。この実施例の場合は、陰イオンの生成時に発生される電子（ｅ−)が、帯電防止剤を包含するキャビネット１０により、キャビネット１０に付く現象が防止される場合である。
【００２８】
前述した本発明のさらに他の実施例として、紙又はＰＶＣシートに前記ＵＶ物質１０Ａをコーティングしたテープを備え、このＵＶコーティングテープを前記帯電防止剤１０Ｃの代わりにキャビネット１０の内部表面とポート３の内壁面に接着する。この実施例の場合は、陰イオンの生成時に発生される電子（ｅ−)が、ＵＶコーティングテープ１０Ｂにコーティングされている紫外線物質により、キャビネット１０に付く現象が防止される場合である。
【００２９】
前述した本発明のさらに他の実施例として、キャビネット１０の内部表面には帯電防止剤１０Ｃをコーティングし、ポート３にはＵＶコーティングテープを接着する実施例、又はキャビネット１０の内部表面にはＵＶコーティングテープを接着し、ポート３には帯電防止剤１０Ｃをコーティングする実施例もできる。
図９は本発明が適用された陰イオン発生テレビジョン受像機のスピーカー部分の第５実施例の構成を示す図面である。
【００３０】
図９の実施例は、スピーカー２の前方に出力される前面出力音２Ａが出力されるオーディオ出力孔１が形成されたキャビネット１０と、前記キャビネット１０の内部に設置され、オーディオ信号を受けて振動して、前方には前面出力音２Ａを、後方には後面出力音を発生させるスピーカー２と、前記キャビネット１０の前面出力音２Ａが出力される位置（オーディオ出力孔１とスピーカー２の前面との間）で放電して陰イオンを生成するための放電針５と、前記放電針５が固定される回路基板７と、前記回路基板７を通じて高圧を放電針５に印加する高圧発生器８と、前記キャビネット１０の内部表面にコーティングされて電子シールドの発生を防止する帯電防止剤１０Ｃとから構成される。
【００３１】
このように構成されたスピーカーの第５実施例による陰イオンの発生と拡散動作は前述した第４実施例と同じであるので、その説明は省略する。
第５実施例のスピーカー部分においても、前述した図８のように帯電防止剤１０Ｃを包含するキャビネットを形成するか、ＵＶコーティング物質を帯電防止剤１０Ｃの代わりにコーティングするか、ＵＶコーティングテープをキャビネット１０の内部表面に接着する実施例を適用することができ、各場合による効果は図８に関して説明したように同じに確保される。
【００３２】
図１０は本発明を適用したスピーカー部分のさらに他の構造を示す第６実施例の構成図面である。
図１０の実施例は、スピーカー２の前方に出力される前面出力音２Ａが出力されるオーディオ出力孔１と後方に出力される後面出力音２Ｂが出力されるポート３とが形成されたキャビネット１０と、前記キャビネット１０の内部に設置され、オーディオ信号を受けて振動して、前方には前面出力音２Ａを、後方には後面出力音２Ｂを発生させるスピーカー２と、前記キャビネット１０の任意の位置に形成された陰イオン排出孔３Ａと、前記キャビネット１０の陰イオン排出孔３Ａに近接した位置、又は陰イオン排出孔３Ａの中に位置し、放電して陰イオンを生成するための放電針５と、前記放電針５が固定される回路基板７と、前記回路基板７を通じて高圧を放電針５に印加する高圧発生器８と、前記キャビネット１０の内部表面にコーティングされて電子シールドの形成を防止する帯電防止剤１０Ｃと、前記出力ポート３の内壁面に接着されて電子シールドの形成を防止するＵＶ物質１０Ａと、前記陰イオン排出孔３Ａの内壁面に接着されて電子シールドの形成を防止するＵＶ物質１０Ｂとから構成される。
【００３３】
このように構成された第６実施例による陰イオンの発生と拡散動作は前述した第４実施例と同じであるので、その説明は省略する。
【図面の簡単な説明】
【００３４】
【図１】本発明の陰イオン発生機能を有するスピーカーシステムの第１実施例の構成を示す断面図である。
【図２】本発明の第２実施例の構成を示す断面図である。
【図３】本発明の第３実施例の構成を示す断面図である。
【図４】テレビジョンキャビネットのスピーカーボックスを設置した状態を概略的に示す図面（Ａ，Ｂ）である。
【図５】本発明の第１実施例を適用した陰イオン発生テレビジョン受像機のスピーカー部分を示す断面図である。
【図６】本発明の第２実施例を適用した陰イオン発生テレビジョン受像機のスピーカー部分を示す断面図である。
【図７】本発明の第３実施例を適用した陰イオン発生テレビジョン受像機のスピーカー部分を示す断面図である。
【図８】陰イオン発生テレビジョン受像機の第４実施例の構成を示す断面図である。
【図９】陰イオン発生テレビジョン受像機の第５実施例の構成を示す断面図である。
【図１０】陰イオン発生テレビジョン受像機の第６実施例の構成を示す断面図である。
【符号の説明】
【００３５】
１，１′    オーディオ出力孔
２，２′    スピーカー
２Ａ，２Ａ′    前面出力音
２Ｂ，２Ｂ′    後面出力音
３，３′    ポート
４，４′    スピーカーボックス
５，５′    放電針
５Ａ，５Ａ′    陰イオン
５Ｂ    陰イオン混合空気
６    対向電極
７，７′    回路基板
８，８′    高圧発生器
９，９′    陰イオン排出口
１０    キャビネット
１０Ａ    紫外線物質
１０Ｂ    ＵＶコーティングテープ
１０Ｃ    帯電防止剤
【図１】
2004297836.tif 000003
【図２】
2004297836.tif 000004
【図３】
2004297836.tif 000005
【図４】
2004297836.tif 000006
【図５】
2004297836.tif 000007
【図６】
2004297836.tif 000008
【図７】
2004297836.tif 000009
【図８】
2004297836.tif 000010
【図９】
2004297836.tif 000011
【図１０】
2004297836.tif 000012
【手続補正書】
【提出日】平成16年6月25日(2004.6.25)
【手続補正１】
【補正対象書類名】特許請求の範囲
【補正対象項目名】全文
【補正方法】変更
【補正の内容】
【特許請求の範囲】
【請求項１】
内部にスピーカーが装着されたキャビネットを備えるテレビジョン受像機における陰イオン発生テレビジョン受像機において、
前記キャビネットの下部の所定位置に陰イオンを生成する陰イオン発生手段を備え、さらに前記キャビネットの内部で前記陰イオン発生手段により発生される陰イオンによる電子シールドの形成を防止するように前記キャビネットの内部表面にコーティングされる帯電防止剤を包含するように構成される陰イオン発生テレビジョン受像機。
【請求項２】
請求項１において、前記帯電防止剤はキャビネットと混合成形されたものである陰イオン発生テレビジョン受像機。
【請求項３】
請求項１において、前記キャビネットの所定位置にスピーカーの後面出力音と、前記後面出力音が放出される出力ポートが形成され、前記出力ポートの内壁面に帯電防止剤を塗布した陰イオン発生テレビジョン受像機。
【請求項４】
請求項１において、前記キャビネットの所定位置に陰イオンが排出される専用の陰イオン排出口が形成され、前記陰イオン排出孔の内壁面に帯電防止剤を塗布した陰イオン発生テレビジョン受像機。
【請求項５】
内部にスピーカーが装着されたキャビネットを備えるテレビジョン受像機における陰イオン発生テレビジョン受像機において、
前記キャビネットの所定位置に陰イオンを生成する陰イオン発生手段を備え、さらに前記キャビネットの内部で陰イオン発生手段により発生される陰イオンによる電子シールドの形成を防止するように前記キャビネットとの内部表面にコーティングされる紫外線硬化性樹脂を包含するように構成される陰イオン発生テレビジョン受像機。
【請求項６】
請求項５において、前記紫外線硬化性樹脂はシート上にコーティングされたテープにより構成される陰イオン発生テレビジョン受像機。
【請求項７】
請求項５において、前記キャビネットの所定位置にスピーカーの後面出力音と、前記後面出力音が放出される出力ポートが形成され、前記出力ポートの内壁面に紫外線硬化性樹脂が塗布されたものである陰イオン発生テレビジョン受像機。
【請求項８】
請求項５において、前記キャビネットの所定位置に陰イオンが排出される専用の陰イオン排出口が形成され、前記陰イオン排出孔の内壁面に紫外線硬化性樹脂を塗布する陰イオン発生テレビジョン受像機。
【請求項９】
請求項７において、前記紫外線硬化性樹脂はシート上にコーティングしたテープ形態で作成され、出力ポートの内壁面に接着する陰イオン発生テレビジョン受像機。
【請求項１０】
請求項７において、前記紫外線硬化性樹脂はシート上にコーティングしたテープ形態で作成され、陰イオン排出孔の内壁面に接着する陰イオン発生テレビジョン受像機。
【手続補正２】
【補正対象書類名】明細書
【補正対象項目名】全文
【補正方法】変更
【補正の内容】
【発明の詳細な説明】
【技術分野】
【０００１】
本発明は陰イオン発生機能を有するスピーカーシステム及びテレビジョン受像機に関するもので、詳しくはスピーカーの音圧により陰イオンを発生させ、その発生された陰イオンを音圧によって拡散させ得るようにした陰イオン発生スピーカーシステム及びテレビジョン受像機に関するものである。
【背景技術】
【０００２】
従来、オーディオシステム又はテレビジョン受像機のようなオーディオ／ビデオ機器を視聴するとき、視聴者は多数の人々が群集した群れの中で視聴することになる。
【発明の開示】
【発明が解決しようとする課題】
【０００３】
このような場合、多数の人々が群集するため、視聴環境、特に空気の汚染が深刻である。特に煙草を吸う人がある場合、又は粉塵、室内の埃が多量発生する環境に露出されている場合、長時間にわたって環境の悪化と室内空気の汚染が発生する。しかし、現状ではこのような室内空気の汚染に対処し得る手段がないのが実情である。
【０００４】
従って、本発明は前述した従来の問題点を解消するためになされたもので、オーディオ／ビデオ機器の運用環境、特に空気の清浄と快適な室内環境を具現し得るようにした陰イオン発生機能を有するスピーカーシステム及びテレビジョン受像機を提供することをその目的とする。
又、本発明の他の目的はオーディオ機器のスピーカーシステム、テレビジョン受像機のスピーカーシステムから陰イオンを発生させ、その発生された陰イオンをスピーカーの音圧を用いて拡散させることにより、快適な環境を具現し、陰イオンが人体に及ぼす種々の効果を必要充分に確保し得るようにした陰イオン発生機能を有するスピーカーシステム及びテレビジョン受像機を提供することである。
【課題を解決するための手段】
【０００５】
このような目的を達成するために、本発明の陰イオン発生機能を有するスピーカーシステムは、スピーカーボックスの内部の所定位置に設置されたスピーカーと、スピーカーの前方に出力音を出力するためにスピーカーボックスの前面の所定位置に設置されたオーディオ出力孔と、オーディオ出力孔の下部の一側に設置され、スピーカーの後方に出力される後面出力音を出力するポートと、スピーカーボックスの下部の所定位置に設置され、陰イオンを生成する陰イオン発生手段とから構成される。
【０００６】
前記本発明の他の目的を達成するために、本発明の陰イオン発生機能を有するテレビジョン受像機は、キャビネットの内部の所定位置に設置されたスピーカーと、スピーカーの前方に出力音を出力するためにキャビネットの前面の所定位置に設置されたオーディオ出力孔と、オーディオ出力孔の下部の一側に設置され、スピーカーの後方に出力される出力音が出力されるポートと、キャビネットの下部の所定位置に設置されて陰イオンを生成する陰イオン発生手段とから構成される。
【発明の効果】
【０００７】
以上説明したように、本発明は、テレビジョンを視聴するときに陰イオンを発生させることにより、電子シールドの形成を防止することにより、陰イオン生成空間を広く確保し、陰イオンの排出通路の面積を充分に保障し得るので、高効率の陰イオンの生成と放出ができる効果がある。又、密閉された室内空間でもスピーカーの音圧により放出、拡散される陰イオンが人体に提供されるようにし、この陰イオンにより快適な視聴環境を保障し、別の陰イオンの送出のためのファン、ファンモーター等を利用しなくてもスピーカーの音圧により音圧を拡散させることができ、ダイナミックに変動されるスピーカーの出力音圧により室内空間に陰イオンを均等に拡散供給し得る効果がある。
【発明を実施するための最良の形態】
【０００８】
以下、本発明による陰イオン発生機能を有するスピーカーシステム及びテレビジョン受像機を添付図面に基づいて詳細に説明する。
図１は本発明による陰イオン発生機能を有するスピーカーシステムの第１実施例の構成を示す断面図である。
【０００９】
図１に示すように、本発明の陰イオン発生機能を有するスピーカーシステムは、スピーカー２の前方に出力される前面出力音２Ａが出力されるオーディオ出力孔１と、前記オーディオ出力孔１の下部の一側に設置され、スピーカー２の後方に出力される後面出力音２Ｂが出力されるポート３とが形成されたスピーカーボックス４と、前記スピーカーボックス４の内部に設置され、オーディオ信号を受けて振動することにより、前方には前面出力音２Ａを、後方には後面出力音２Ｂを発生させるスピーカー２と、前記スピーカーボックス４のポート３に近接した位置で放電して陰イオンを生成するための放電針５及び前記放電針５の放電を助けて陰イオンの発生量を多くする対向電極６と、前記放電針５が固定される回路基板７と、前記回路基板７を通じて高圧を放電針５に印加する高圧発生器８とから構成される。
【００１０】
このように構成された本発明の第１実施例による陰イオン発生と拡散動作を次に説明する。
オーディオ／ビデオ機器を作動させると、オーディオ信号がスピーカー２に供給されてスピーカー２が振動し、振動結果として、前方にはオーディオ出力孔１を通じて前面出力音２Ａを出力し、後方にはスピーカーボックス４の内部空間に出てポート３を通じて出力される後面出力音２Ｂを出力することになる。
【００１１】
そして、高圧発生器８に電源が印加されると、高圧発生器８から高圧を発生し回路基板７に固定された放電針５に高圧を印加し、印加された高圧により放電針５は対向電極６に放電され、その結果として陰イオン５Ａが発生される。
このように発生された陰イオン５Ａはスピーカー２の後面出力音２Ｂによる音圧によりポート３を通じて空気とともに排出され、陰イオン５Ａと後面出力音２Ｂとが混合された空気５Ｂがオーディオ／ビデオ機器が設置された室内に広く拡散される。
【００１２】
このような動作は高圧放電による陰イオン発生とともにスピーカー２の振動による後面出力音２Ｂの音圧により持続され、従って室内では広い範囲にわたって陰イオンが拡散され、対向電極６は放電針５との放電を助けて陰イオン５ａの発生量を多くする。
図２は本発明の第２実施例の構成を示す図面である。図２を参照すると、本発明の第２実施例は、スピーカー２の前方に出力される前面出力音２Ａが出力されるオーディオ出力孔１が形成されたスピーカーボックス４と、前記スピーカーボックス４の内部に設置され、オーディオ信号を受けて振動して、前方には前面出力音２Ａを、後方には後面出力音を発生させるスピーカー２と、前記スピーカーボックス４の前面出力音２Ａが出力される位置（オーディオ出力孔１とスピーカー２の前面との間）で放電して陰イオンを生成するための放電針５と前記放電針５が固定される回路基板７と、前記回路基板７を通じて高圧を放電針５に印加する高圧発生器８とから構成される。又、前記放電針５はオーディオ出力孔１とスピーカー２の前面との間に設置された支持台１１を貫通する。
【００１３】
一方、前記第２実施例では対向電極を設置しなかったが、場合によっては陰イオン発生量をより多くするために設置することもできる。
このように構成された本発明の第２実施例による陰イオン発生と拡散動作を次に説明する。
オーディオ／ビデオ機器を作動させると、オーディオ信号がスピーカー２に供給されてスピーカー２が振動し、振動結果として前方にはオーディオ出力孔１を通じて前面出力音２Ａを出力し、後方にはスピーカーボックス４の内部空間に出て出力される後面出力音を出力することになる。
【００１４】
そして、高圧発生器８に電源が印加されると、高圧発生器８から高圧を発生して回路基板７に固定された放電針５に高圧を印加し、印加された高圧により放電針５から陰イオン５Ａが発生される。
発生された陰イオン５Ａはスピーカー２の前面出力音２Ａによる音圧によりオーディオ出力孔１を通じて空気とともに排出され、陰イオン５Ａと前面出力音２Ａとが混合された空気がオーディオ／ビデオ機器の設置された室内で広く拡散される。
【００１５】
このような動作は高圧放電による陰イオン発生とともにスピーカー２の振動による前面出力音２Ａの音圧により持続され、従って室内では広い範囲にわたって陰イオンが拡散され、対向電極は放電針５との放電を助けて陰イオン５Ａの発生量を多くする。
図３は本発明の第３実施例の構成を示す図面である。図３を参照すると、本発明の第３実施例は、スピーカー２の前方に出力される前面出力音２Ａが出力されるオーディオ出力孔１とスピーカー２の後方に出力される後面出力音２Ｂが出力されるポート３とが形成されたスピーカーボックス４と、前記スピーカーボックス４の内部に設置され、オーディオ信号を受けて振動して、前方には前面出力音２Ａを、後方には後面出力音２Ｂを発生させるスピーカー２と、前記スピーカーボックス４の任意の位置に形成された陰イオン排出口９と、前記スピーカーボックス４の陰イオン排出口９に近接した位置又は陰イオン排出口９の中に位置し、放電して陰イオンを生成するための放電針５と前記放電針５が固定される回路基板７と、前記回路基板７を通じて高圧を放電針５に印加する高圧発生器８とから構成される。
【００１６】
このように構成された本発明の第３実施例による陰イオン発生と拡散動作を次に説明する。
オーディオ／ビデオ機器を作動させると、オーディオ信号がスピーカー２に供給されてスピーカー２が振動し、振動結果として前方にはオーディオ出力孔１を通じて前面出力音２Ａを出力し、後方にはスピーカーボックス４の内部空間に出てポート３を通じて出力される後面出力音２Ｂを出力することになる。
【００１７】
そして、高圧発生器８に電源が印加されると、高圧発生器８から高圧を発生して回路基板７に固定された放電針５に高圧を印加し、印加された高圧により放電針５から陰イオン５Ａが発生される。
発生された陰イオン５Ａはスピーカー２の後面出力音２Ｂによる音圧により陰イオン排出口９を通じて空気とともに排出され、陰イオン５Ａと前面出力音２Ａとが混合された空気がオーディオ／ビデオ機器の設置された室内で広く拡散される。
【００１８】
このような動作は高圧放電による陰イオン発生とともにスピーカー２の振動による後面出力音２Ｂの音圧により持続され、従って室内では広い範囲にわたって陰イオンが拡散され、対向電極６は放電針５との放電を助けて陰イオン５Ａの発生量を多くする。
図４（Ａ）、図４（Ｂ）〜図７は前述した本発明の第１〜第３実施例のスピーカーシステムをテレビジョン受像機に適用した例を示す。
【００１９】
図４（Ａ）及び図４（Ｂ）に示すように、テレビジョンキャビネット１０にスピーカー２′が装着されたスピーカーボックス４′を設置した場合であり、このスピーカーボックス４′には、図５に示すように、本発明の第１実施例の陰イオン発生手段を適用した場合である。
従って、このようなテレビジョン受像機でも、前述したように、テレビジョン受像機に電源が供給され、放送受信によるオーディオ信号がスピーカー２′に出力されて前後面出力音２Ａ′、２Ｂ′が発生すると、後面出力音２Ｂ′の音圧により放電針５′の陰イオン５Ａ′が室内に拡散される。
【００２０】
図面のうち、未説明の符号１１はブラウン管であり、テレビジョンキャビネット１０の全体をスピーカーボックスと見做して、放電針５′をキャビネット１０の内部の任意の位置に設置することもできる。
図６は前記第２実施例を適用した陰イオン発生テレビジョン受像機で、放電針５′をテレビジョンスピーカー２′の前方に配置することにより、オーディオ出力孔１′に前面出力音２Ａ′の音圧により陰イオン５Ａ′が放出される場合であり、図７は前記第３実施例を適用した陰イオン発生テレビジョン受像機で、陰イオン排出口９′をテレビジョン受像機スピーカーボックス４′に形成し、放電針５′を排出口９′に配置することにより、後面出力音２Ｂ′の音圧により陰イオン５Ａ′が放出される場合である。
【００２１】
図８は本発明の陰イオン発生テレビジョン受像機の第４実施例で、スピーカー部分の構成を示す図面である。図８に示すように、本発明の陰イオン発生機能を有するテレビジョン受像機は、スピーカー２の前方に出力される出力音２Ａが出力されるオーディオ出力孔１と前記オーディオ出力孔１の下部の一側に設置され、スピーカー２の後方に出力される後面出力音２Ｂが出力されるポート３とが形成されたキャビネット１０と、前記キャビネット１０の内部に設置され、オーディオ信号を受けて振動して、前方には前面出力音２Ａを、後方には後面出力音２Ｂを発生させるスピーカー２と、前記キャビネット１０のポート３に近接した位置で放電して陰イオンを生成するための放電針５及びこの放電針５の放電を助けて陰イオン発生量を多くする対向電極６と、前記放電針５が固定される回路基板７と、前記回路基板７を通じて高圧を放電針５に印加する高圧発生器８と、放電により発生された電子によりキャビネット１０の内部表面が帯電される現象を防止するためにキャビネット１０の内部表面にコーティングされた帯電防止剤１０Ｃとから構成される。
【００２２】
このように構成された本発明の陰イオン発生テレビジョン受像機による陰イオン発生と拡散動作は次のようである。
オーディオ／ビデオ機器を作動させると、オーディオ信号がスピーカー２に供給されてスピーカー２が振動し、振動の結果として前方にはオーディオ出力孔１を通じて前面出力音２Ａを出力し、後方にはキャビネット１０の内部空間に出てポート３を通じて出力される後面出力音２Ｂを出力することになる。
【００２３】
そして、高圧発生器８に電源が印加されると、高圧発生器８から高圧を発生し、回路基板７に固定された放電針５に高圧を印加し、印加された高圧により放電針５は対向電極６に放電され、その結果として陰イオン５Ａが発生される。
即ち、ｅ−＋Ｏ２→Ｏ２−である。
発生された陰イオン５Ａ（Ｏ２−)はスピーカー２の後面出力音２Ｂによる音圧によりポート３を通じて空気とともに排出され、陰イオン５Ａと後面出力音２Ｂとが混合された空気５Ｂがオーディオ／ビデオ機器の設置された室内に広く拡散される。
【００２４】
このような動作は高圧放電による陰イオン発生とともにスピーカー２の振動による後面出力音５Ｂの音圧により持続され、従って室内では広い範囲にわたって陰イオンが拡散され、対向電極６は放電針５の放電を助けて陰イオン５Ａの発生量を多くする。
このように陰イオンが生成され、生成された陰イオンがスピーカー音圧により遠く拡散されることにより、陰イオンの発生につれて生成された電子（ｅ−)がイオン（Ｏ２）より早い速度でキャビネット１０の内部表面に到達するが、帯電防止剤１０Ｃにより不導体のキャビネット１０と、その内側の陰イオン生成空間との間が絶縁されているので、電子（ｅ−)がイオン（Ｏ２）より早い速度で移動しても電子（ｅ−)がキャビネット１０の内部表面に付く現象を防止し得ることになる。
【００２５】
又、陰イオン放出ポート３の通路表面に帯電防止剤１０Ｃを塗布する実施例も可能であり、この実施例の場合も陰イオン放出ポート３の通路表面に帯電防止剤１０Ｃが塗布されているため、ここでも電子（ｅ−)による電子シールド（図示せず）の生成が排除され、よって前述したように発生された陰イオンは十分な大きさの通路を保障するポート３を自在に通過して室内に拡散されることになる。
【００２６】
前述した本発明の実施例として、前記帯電防止剤１０Ｃの代わりに紫外線硬化性樹脂１０Ａをキャビネット１０の内部表面又は放出ポート３の内壁面に塗布しても紫外線硬化性樹脂は電子（ｅ−) がキャビネット１０の内部表面に付く現象を防止するので、陰イオン発生空間及び放出空間を充分に確保し得ることになる。
【００２７】
前出した本発明の他の実施例として、前記帯電防止剤１０Ｃをキャビネット１０の成形時に原材料であるプラスチック粉末に混合して鎖状整形することにより、帯電防止剤１０Ｃを別にコーティングする工程を排除し得る。この実施例の場合は、陰イオンの生成時に発生される電子（ｅ−)が、帯電防止剤を包含するキャビネット１０により、キャビネット１０に付く現象が防止される場合である。
【００２８】
前述した本発明のさらに他の実施例として、紙又はＰＶＣシートに前記紫外線硬化性樹脂１０Ａをコーティングしたテープを備え、この紫外線硬化性樹脂コーティングテープを前記帯電防止剤１０Ｃの代わりにキャビネット１０の内部表面とポート３の内壁面に接着する。この実施例の場合は、陰イオンの生成時に発生される電子（ｅ−) が、紫外線硬化性樹脂コーティングテープ１０Ｂにコーティングされている紫外線硬化性樹脂により、キャビネット１０に付く現象が防止される場合である。
【００２９】
前述した本発明のさらに他の実施例として、キャビネット１０の内部表面には帯電防止剤１０Ｃをコーティングし、ポート３には紫外線硬化性樹脂コーティングテープを接着する実施例、又はキャビネット１０の内部表面には紫外線硬化性樹脂コーティングテープを接着し、ポート３には帯電防止剤１０Ｃをコーティングする実施例もできる。
図９は本発明が適用された陰イオン発生テレビジョン受像機のスピーカー部分の第５実施例の構成を示す図面である。
【００３０】
図９の実施例は、スピーカー２の前方に出力される前面出力音２Ａが出力されるオーディオ出力孔１が形成されたキャビネット１０と、前記キャビネット１０の内部に設置され、オーディオ信号を受けて振動して、前方には前面出力音２Ａを、後方には後面出力音を発生させるスピーカー２と、前記キャビネット１０の前面出力音２Ａが出力される位置（オーディオ出力孔１とスピーカー２の前面との間）で放電して陰イオンを生成するための放電針５と、前記放電針５が固定される回路基板７と、前記回路基板７を通じて高圧を放電針５に印加する高圧発生器８と、前記キャビネット１０の内部表面にコーティングされて電子シールドの発生を防止する帯電防止剤１０Ｃとから構成される。
【００３１】
このように構成されたスピーカーの第５実施例による陰イオンの発生と拡散動作は前述した第４実施例と同じであるので、その説明は省略する。
第５実施例のスピーカー部分においても、前述した図８のように帯電防止剤１０Ｃを包含するキャビネットを形成するか、紫外線硬化性樹脂コーティング物質を帯電防止剤１０Ｃの代わりにコーティングするか、紫外線硬化性樹脂コーティングテープをキャビネット１０の内部表面に接着する実施例を適用することができ、各場合による効果は図８に関して説明したように同じに確保される。
【００３２】
図１０は本発明を適用したスピーカー部分のさらに他の構造を示す第６実施例の構成図面である。
図１０の実施例は、スピーカー２の前方に出力される前面出力音２Ａが出力されるオーディオ出力孔１と後方に出力される後面出力音２Ｂが出力されるポート３とが形成されたキャビネット１０と、前記キャビネット１０の内部に設置され、オーディオ信号を受けて振動して、前方には前面出力音２Ａを、後方には後面出力音２Ｂを発生させるスピーカー２と、前記キャビネット１０の任意の位置に形成された陰イオン排出孔３Ａと、前記キャビネット１０の陰イオン排出孔３Ａに近接した位置、又は陰イオン排出孔３Ａの中に位置し、放電して陰イオンを生成するための放電針５と、前記放電針５が固定される回路基板７と、前記回路基板７を通じて高圧を放電針５に印加する高圧発生器８と、前記キャビネット１０の内部表面にコーティングされて電子シールドの形成を防止する帯電防止剤１０Ｃと、前記出力ポート３の内壁面に接着されて電子シールドの形成を防止する紫外線硬化性樹脂１０Ａと、前記陰イオン排出孔３Ａの内壁面に接着されて電子シールドの形成を防止する紫外線硬化性樹脂１０Ｂとから構成される。
【００３３】
このように構成された第６実施例による陰イオンの発生と拡散動作は前述した第４実施例と同じであるので、その説明は省略する。
【図面の簡単な説明】
【００３４】
【図１】本発明の陰イオン発生機能を有するスピーカーシステムの第１実施例の構成を示す断面図である。
【図２】本発明の第２実施例の構成を示す断面図である。
【図３】本発明の第３実施例の構成を示す断面図である。
【図４】テレビジョンキャビネットのスピーカーボックスを設置した状態を概略的に示す図面（Ａ，Ｂ）である。
【図５】本発明の第１実施例を適用した陰イオン発生テレビジョン受像機のスピーカー部分を示す断面図である。
【図６】本発明の第２実施例を適用した陰イオン発生テレビジョン受像機のスピーカー部分を示す断面図である。
【図７】本発明の第３実施例を適用した陰イオン発生テレビジョン受像機のスピーカー部分を示す断面図である。
【図８】陰イオン発生テレビジョン受像機の第４実施例の構成を示す断面図である。
【図９】陰イオン発生テレビジョン受像機の第５実施例の構成を示す断面図である。
【図１０】陰イオン発生テレビジョン受像機の第６実施例の構成を示す断面図である。
【符号の説明】
【００３５】
１，１′    オーディオ出力孔
２，２′    スピーカー
２Ａ，２Ａ′    前面出力音
２Ｂ，２Ｂ′    後面出力音
３，３′    ポート
４，４′    スピーカーボックス
５，５′    放電針
５Ａ，５Ａ′    陰イオン
５Ｂ    陰イオン混合空気
６    対向電極
７，７′    回路基板
８，８′    高圧発生器
９，９′    陰イオン排出口
１０    キャビネット
１０Ａ    紫外線硬化性樹脂
１０Ｂ    紫外線硬化性樹脂コーティングテープ
１０Ｃ    帯電防止剤